(57)【要約】【課題】一般的な竪樋を用いることができるうえ、竪樋を壁面等に取付けた施工後の外観を向上することができ、しかも、その施工作業を簡単且つ安全に行うことができる竪樋の取付具及びこれを用いた竪樋の取付構造を提供する。【解決手段】竪樋Ｔ、Ｔ’の端部Ｔ１に連結可能な連結部１２ａ、１２ｂが両端に形成された管状の継手本体１と、前記継手本体１から外方に向けて延設された取付部２と、前記取付部２に連結可能な受部３１を設け、この受部３１の基端側を壁面等の取付面Ｈに固定する固定部３と、からなる。【選択図】図１
2007303147.tif 000002
【特許請求の範囲】
【請求項１】
竪樋の端部に連結可能な連結部が両端に形成された管状の継手本体と、
前記継手本体から外方に向けて延設された取付部と、
前記取付部に連結可能な受部を設け、この受部の基端側を壁面等の取付面に固定する固定部と、からなる竪樋の取付具。
【請求項２】
請求項１において、
継手本体の外径は、連結される竪樋と同一の外径に形成したことを特徴とする竪樋の取付具。
【請求項３】
請求項１又は２の何れかにおいて、
継手本体の連結部の上端は、連結される上流側の竪樋に外嵌され、前記連結部の下端は、連結される下流側の竪樋に内嵌されるように形成したことを特徴とする竪樋の取付具。
【請求項４】
請求項１〜３の何れかにおいて、
継手本体の連結部には、止水用パッキンを設けたことを特徴とする竪樋の取付具。
【請求項５】
請求項１〜４の何れかにおいて、
取付部は、板片の上端を一側方に折り曲げて掛止片を設けてなることを特徴とする竪樋の取付具。
【請求項６】
請求項１〜５の何れかにおいて、
固定部の受部は、板片の下端を他側方に折り曲げて支持片を設けてなることを特徴とする竪樋の取付具。
【請求項７】
請求項１〜６の何れか１項に記載された竪樋の取付具の上端の連結部を竪樋の下端に連結すると共に、前記取付具の取付部を、壁面等の取付面に固定した固定部の受部に連結した後、前記取付具の下端の連結部に他の竪樋の上端を連結し、更に、この他の竪樋の下端に、上記と同じ要領で複数の竪樋を連結しながら前記取付面に取付けてなる竪樋の取付構造。
【発明の詳細な説明】
【技術分野】
【０００１】
本発明は、一般住宅やビル、高速道路等などの構築物の壁面等に沿って配される竪樋の取付具及びこれを用いた取付構造に関する。
【背景技術】
【０００２】
従来、一般住宅やビル、高速道路等などの構築物の壁面等に沿って配される竪樋を固定、支持するための取付具は、竪樋を抱持して支持する開閉可能なリング状のバンド体と、壁面等に固定された固定具とからなり、前記バンド体の基端に延設された取付脚片を、前記固定具にボルト、ナット等の止具で固定することによって、前記竪樋を壁面等に沿って固定、支持する構造のものがあった（例えば、特許文献１参照。）。
【０００３】
図６は、従来の竪樋の取付具１００を示した使用状態図であるが、この図で示すように、従来の竪樋の取付具１００では、竪樋Ｔを抱持するようにして環状のバンド体１０１が取付られ、このバンド体１０１の背面側から延設された一対の脚片１０２で、壁面等に固定された固定具１０３を挟み込むと共に、これらをボルト１０４、ナット１０５で連結、固定する構造にしている。
【０００４】
そのため、このような構造の竪樋の取付具１００を、竪樋Ｔに取付けた際には、バンド体１０１の肉厚Ｌ分が突出して、竪樋Ｔの表面に環状のバンド体１０１が露出されてしまうため、竪樋Ｔの所々にバンド体１０１が段部として点在されることとなり、施工後の見栄えが悪いという問題があった。
【０００５】
この問題を解消するため、最近では、竪樋の背面側に係止具を突出させて形成すると共に、この係止具に係合されるガイドレールを建物等の壁面に対峙するように形成し、前記係止具を介して竪樋を壁面等のガイドレールに係止させることによって、施工後には前記取付具が竪樋の背面側に隠れて見栄えを良くしようという竪樋の取付構造も開発されている（例えば、特許文献２参照。）。
【特許文献１】特開２００５−２９９２５１号
【特許文献２】特開２００４−２０４５６０号
【発明の開示】
【発明が解決しようとする課題】
【０００６】
しかしながら、この竪樋の取付構造では、施工後には竪樋の背面側に取付具が隠れるため見栄えは良くなるのであるが、前記係止具を突出させた特別な竪樋を新たに製造しなければならず、一般に普及されている竪樋を使用できないという問題がある。
【０００７】
また、この竪樋の取付構造では、竪樋に一体化された取付具を、ガイドレールに位置決めして固定する施工時において、高重量の竪樋を上、下に微調整しながら滑り落ちないように支持し続けておく必要があり、施工作業が困難であるという問題もある。
【０００８】
更に、この取付構造では、ガイドレールに係止具を係合させる構造であるため、竪樋の高荷重によって、ガイドレールを係止具が滑ってズリ落ち易く、危険であるという問題もある。
【０００９】
本発明は、かかる課題を解決することを目的とし、従来の竪樋の取付構造とは全く異なる新たな竪樋の取付具及び取付構造を発明するに至り、これによって一般的な竪樋を用いることができるうえ、竪樋を壁面等に取付けた施工後の外観を向上することができ、しかも、その施工作業を簡単且つ安全に行うことができる竪樋の取付具及びこれを用いた竪樋の取付構造を提供するものである。
【課題を解決するための手段】
【００１０】
上記目的を達成するため、
請求項１に係る竪樋の取付具は、竪樋の端部に連結可能な連結部が両端に形成された管状の継手本体と、前記継手本体から外方に向けて延設された取付部と、前記取付部に連結可能な受部を設け、この受部の基端側を壁面等の取付面に固定する固定部と、からなる。
【００１１】
請求項２に係る竪樋の取付具は、請求項１において、継手本体の外径は、連結される竪樋と同一の外径に形成したことを特徴とする。
【００１２】
請求項３に係る竪樋の取付具は、請求項１又は２の何れかにおいて、継手本体の連結部の上端は、連結される上流側の竪樋に外嵌され、前記連結部の下端は、連結される下流側の竪樋に内嵌されるように形成したことを特徴とする。
【００１３】
請求項４に係る竪樋の取付具は、請求項１〜３の何れかにおいて、継手本体の連結部には、止水用パッキンを設けたことを特徴とする。
【００１４】
請求項５に係る竪樋の取付具は、請求項１〜４の何れかにおいて、取付部は、板片の上端を一側方に折り曲げて掛止片を設けてなることを特徴とする。
【００１５】
請求項６に係る竪樋の取付具は、請求項１〜５の何れかにおいて、固定部の受部は、板片の下端を他側方に折り曲げて支持片を設けてなることを特徴とする。
【００１６】
請求項７に係る竪樋の取付構造は、請求項１〜６の何れか１項に記載された竪樋の取付具の上端の連結部を竪樋の下端に連結すると共に、前記取付具の取付部を、壁面等の取付面に固定した固定部の受部に連結した後、前記取付具の下端の連結部に他の竪樋の上端を連結し、更に、この他の竪樋の下端に、上記と同じ要領で複数の竪樋を連結しながら前記取付面に取付けてなる。
【発明の効果】
【００１７】
本発明によれば、次のような効果がある。
請求項１に係る竪樋の取付具によれば、竪樋の端部に継手本体が連結される構造であるので、従来のようなバンド体を不要にできるうえ、竪樋の所々に前記バンド体が段部として点在されることがなく、施工後の外観を高めることができる。
【００１８】
また、竪樋の端部に管状の継手本体を連結し、この継手本体が竪樋を支持すると共に、壁面等に固定されるため、竪樋に負荷される高荷重を、継手本体で受け止めて支持し、竪樋が滑ってズリ落ちる危険を確実に防止できる。
【００１９】
更に、竪樋の端部に継手本体を連結する構造であるため、この継手本体を竪樋に連結する作業の際、竪樋の端部を支持しながら、継手本体を壁面等に固定する作業を併せて行うことができ、施工作業を簡単且つ安全に行うことができる。
【００２０】
請求項２に係る竪樋の取付具によれば、継手本体の外径を連結される竪樋と同一の外径に形成しているので、本発明の取付具を竪樋に連結するだけで、施工後の竪樋の表面には、突出部のないスマートな状態に仕上げることができる。
【００２１】
しかも、継手本体の色彩・柄・材質等を、竪樋の表面と同一に形成すれば、本発明の取付具によって連結された複数本の竪樋が、まるで連続した１本の竪樋のように見え、施工後の外観を一層高めることができる。
【００２２】
請求項３に係る竪樋の取付具によれば、連結部の上端が上流側の竪樋に外嵌されると共に、その下端が下流側の竪樋に内嵌される構造にしているので、継手本体の連結部から雨水が漏出することを防止できる。
【００２３】
請求項４に係る竪樋の取付具によれば、連結部に止水用パッキンを設けることで、継手本体の連結部から雨水が漏出することを確実に防止できる。
【００２４】
請求項５に係る竪樋の取付具によれば、例えば、取付部を断面逆L状、断面逆溝状等に形成して掛止片を設けることで、この掛止片が板片を補強すると共に、この掛止片を固定部の受部に一旦掛止させて取付部の仮止めを行うことができ、取付部と固定部との固定作業を簡単且つ確実に行うことができる。
【００２５】
請求項６に係る竪樋の取付具によれば、例えば、固定部の受部を断面L状、断面逆Ｔ状等に形成して支持片を設けることで、この支持片が板片を補強すると共に、この支持片に取付部を一旦支持して、取付部の仮止めを行うことができ、取付部と固定部との固定作業を簡単且つ確実に行うことができる。
【００２６】
請求項７に係る竪樋の取付構造によれば、請求項１〜６の何れかに記載された竪樋の取付具の連結部の上端を、竪樋の下端に連結する構造にしているため、取付具の継手本体が竪樋を支持した状態で壁面等に固定される。
【００２７】
そのため、竪樋に負荷される高荷重を、継手本体で受け止めて支持でき、竪樋が滑ってズリ落ちる危険を確実に防止できる。
【００２８】
また、取付具を竪樋に連結する際に、この取付具から延設された取付部を、壁面等に固定された固定部の受部に固定するだけで、竪樋に取付具を連結する連結作業と共に、竪樋を壁面等の取付面に取付ける作業を併せて行うことができ、施工作業を簡単且つ安全に行うことができる。
【００２９】
更に、特殊な竪樋を用いることなく、一般に普及されている竪樋をそのまま利用できる。
【発明を実施するための最良の形態】
【００３０】
以下、本発明に係る竪樋の取付具Ａ及びこれを用いた竪樋の取付構造Ｂを図面とともに説明する。
【実施例１】
【００３１】
図１は、本発明に係る竪樋の取付具Ａの一実施例を示す分解斜視図であり、図２は、図１の縦断面図、図３は、図１、２に示された竪樋の取付具Aに竪樋Ｔを取付けた状態を示す斜視図である。
【００３２】
本発明に係る竪樋の取付具Ａは、竪樋Ｔの端部Ｔ１に連結可能な連結部１２ａ、１２ｂが両端に形成された管状の継手本体１と、この継手本体１から外方に向けて延設された取付部２と、この取付部２に連結可能な受部３１を設け、この受部３１の基端側を壁面等の取付面Ｈに固定する固定部３と、より構成してなる。
【００３３】
継手本体１は、施工後に表出される本体管部１１と、この本体管部１１の上、下端に、各々の一端が固定され、各々の他端が、竪樋Ｔの端部Ｔ１に連結可能な連結部１２ａ、１２ｂが形成された管状の連結管部１２と、より構成してなる。
【００３４】
そのため、継手本体１は、連結される竪樋Ｔと同一の外径であって、色彩・柄・材質等も連結される竪樋Ｔと同一に形成することができ、連結部１２ａ、１２ｂを各々竪樋Ｔに連結すれば、連結された竪樋Ｔ及び継手本体１（本体管部１１）は、図３で示すように、表面側に突出部が表出されない、まるで連続した１本の竪樋のように見え、施工後の竪樋Ｔをスマートな状態に仕上げることができ、その外観を高めることができる。
【００３５】
連結管部１２は、連結される竪樋Ｔに内嵌可能な管を所望の長さに形成すると共に、一端を本体管部１１の上、下端に各々溶接等で固着している。
【００３６】
また、連結管部１２の連結部１２ａ、１２ｂには、ゴム部材を環状に形成した止水用パッキン１３を設けておくのが望ましく、本実施例では、連結管部１２の連結部１２ａ、１２ｂだけでなく、更に、連結管部１２の略中間にも環状の止水用パッキン１３を接着剤等で固着しており、連結後における竪樋Ｔの内面と、連結管部１２との隙間から雨水が漏出することを確実に防止している。
【００３７】
このように形成した継手本体１の背面側には、外方に向けて延設される取付部２を溶接等で一体的に形成している。
【００３８】
この取付部２は、継手本体１を壁面等の取付面Ｈに確実に固定できるものであれば、その形状・材質等は特に限定されないが、本実施例の取付部２は、金属製の板片２１の上端を一側方に折り曲げて掛止片２２を設けてなる。
【００３９】
一方、固定部３は、これを壁面等の取付面Ｈに固定可能な構造であれば良く、ここでは、取付面Ｈに埋設されたアンカーボルト（後述）に螺合可能な固定ボルト３３を基端に設けると共に、この固定ボルト３３の先端には、取付カバー３４を介して、取付部２に連結可能な受部３１の基端を固着してなる。
【００４０】
ここで、受部３１は、連結部２を確実に連結して固定できるものであれば良いが、本実施例では、金属製の板状に形成した受部３１の下端を他側方に折り曲げて支持片３２を設けてなる。
【００４１】
このような板片２１の適所には、複数の開口２１ａを開設すると共に、この開口２１ａに重合する長孔３１ａを受部３１に形成している。
【００４２】
そして、これら開口２１ａと長孔３１ａを重合させたうえで、一方からボルト４を貫通させると共に、他方にナット５を螺合すれば、取付部２と受部３１を確実に連結できる。
【００４３】
なお、受部３１には、長孔３１ａを形成しているので、取付面Ｈからの取付部２の出具合をも容易に調節できる。
【００４４】
又、本実施例のように取付部２を断面逆L状に形成して掛止片２２を設けることで、この掛止片２２が板片２１を補強するリブの機能を成すと共に、取付部２と受部３１を連結する際、掛止片２２を受部３１に一旦掛止させて取付部２の仮止めを行うことができ、取付部２と受部３１との連結、固定作業を簡単且つ確実に行うことができる。
【００４５】
なお、取付部２の形状は、本実施例に限るものではなく、例えば、断面逆溝状、断面Ｔ状等に形成することも可能である。
【００４６】
更に、本実施例では、固定部３の受部３１を断面L状に形成して支持片３２を設けることで、この支持片３２が板状の受部３１を補強するリブの機能を成すと共に、取付部２と受部３１を連結する際、この支持片３２で取付部２の板片２１を一旦支持して、取付部２の仮止めを行うことができ、取付部２と固定部３との固定作業を簡単且つ確実に行うことができる。
【００４７】
なお、受部３１の形状は、本実施例に限るものではなく、例えば、断面逆Ｔ状、断面溝状等に形成することも可能である。
【００４８】
もっとも、前記仮止め機能を成すには、本実施例の掛止片２２又は支持片３２の何れか一方を設けておけば良いのであるが、本実施例のように取付部２及び固定部３の各々に掛止片２２及び支持片３２を設けておけば、仮止め機能を安全且つ確実に行うことができる。
【００４９】
このように構成した本発明に係る竪樋の取付具Ａは、以下の要領で取付・施工される。
【００５０】
図４（ａ）〜（ｃ）は、図１〜図３で示した本発明に係る竪樋の取付具Ａを用い、竪樋Ｔを壁面等の取付面Ｈに取付・施工する取付構造図である。
【００５１】
なお、図１〜３と共通する部位には、同一の符号を付し、重複する説明は省略する。
【００５２】
先ず、壁面等の取付面Ｈの表面適所に、例えば、所定間隔を空けてアンカーボルトＢを埋設すると共に、このアンカーボルトＢに固定部３を螺合して、当該固定部３を壁面等の取付面Ｈに固定する〔図４（ａ）、参照。〕。
【００５３】
次に、取付けられる竪樋Ｔの上端Ｔ２を、例えば、軒先等に設けた集水枡Ｓに差し込んで連結すると共に、この竪樋Ｔの下端Ｔ１を支持しながら、当該下端Ｔ１に向けて、取付具Ａの上端の連結部１２ａを差し込んで竪樋Ｔと取付具Ａとを連結し、この取付具Ａを手で支持しておく〔図４（ｂ）、参照。〕。
【００５４】
次いで、前述した通り、延設された取付部２の掛止片２２を、受部３１に掛止させると共に、取付部２の板片２１を、固定部３の支持片３２で支持すれば、取付具Ａを手で支持しなくとも、竪樋Ｔを仮支持でき、この仮支持した状態で、取付部２と受部３１とを、ボルト４、ナット５等で確実に連結する〔図４（ｂ）、参照。〕。
【００５５】
このようにして、竪樋Ｔが取付具Ａで支持された状態で壁面等の取付面Ｈに取付ける。
【００５６】
そして、この取付けた取付具Ａの下端の連結部１２ｂに他の竪樋Ｔ’の上端Ｔ３を差し込んで連結し、前述と同要領で、当該他の竪樋Ｔ’を本発明の取付具Ａで支持した状態で壁面等の取付面Ｈに取付ける。
【００５７】
以後、これを順次繰り返せば、複数の竪樋Ｔを本発明の取付具Ａで連結しながら取付面Ｈに簡単且つ安全に取付けできるのである〔図４（ｃ）、参照。〕。
【００５８】
以上説明した通り、本発明に係る竪樋の取付具Ａ及びこれを用いた竪樋の取付構造によれば、竪樋Ｔの下端に取付具Ａを連結し、この取付具Ａを壁面等の取付面Ｈに固定する構造であるため、従来のようなバンド体を不要にできるうえ、竪樋Ｔの所々に前記バンド体が段部として点在されることがなく、施工後の外観を高めることができる。
【００５９】
換言すれば、本発明に係る竪樋の取付具Ａは、複数の竪樋Ｔ、Ｔ’を連結する連結機能と、竪樋Ｔを取付面Ｈに固定するための取付機能とが複合された、新たな機能を備えたものである。
【００６０】
また、取付具Ａの継手本体１は、竪樋Ｔを支持すると共に、取付面Ｈに固定されるため、竪樋Ｔに負荷される高荷重を、継手本体１で受け止めて支持し、竪樋Ｔが滑ってズリ落ちる危険を確実に防止できる。
【００６１】
なお、竪樋Ｔの施工後においては、竪樋Ｔは、その上下端に本発明の取付具Ａが連結されて取付面Ｈに固定されるため、竪樋Ｔが滑ってズリ落ちる危険を一層確実に防止されている。
【００６２】
更に、前述した通り、竪樋Ｔに取付具Ａを連結する作業の際、この取付具Ａから延設された取付部２を、壁面等に固定された固定部３の受部３１に固定するだけで、竪樋Ｔに取付具２を連結する連結作業と共に、竪樋Ｔを壁面等の取付面Ｈに取付ける作業を併せて行うことができ、施工作業を簡単且つ安全に行うことができる。
【００６３】
しかも、特殊な竪樋Ｔを用いることなく、一般に普及されている竪樋Ｔをそのまま利用できるのである。
【実施例２】
【００６４】
図５（ａ）、（ｂ）は、本発明に係る竪樋の取付具Ａの他の実施例を概略した要部断面図である。
【００６５】
ここで、図１〜図３と共通する部位には、同一の符号を付し、その説明は省略し、以下では本実施例の特徴についてのみ説明する。
【００６６】
図５（ａ）で示した竪樋の取付具Ａは、継手本体１の上端の連結部１２ａだけが、連結される上流側の竪樋Ｔに外嵌されるように形成している点に特徴がある。
【００６７】
このような構造の竪樋の取付具Ａによれば、連結部１２ａの上端が上流側の竪樋Ｔに外嵌されると共に、その連結部１２ｂの下端が下流側の竪樋Ｔ’に内嵌される構造にしているので、連結された竪樋Ｔ内を雨水がスムーズに流れると共に、継手本体１の連結部１２ａ、１２ｂから雨水が漏出することを防止できる。
【００６８】
なお、本実施例の場合には、止水用パッキン１３は、上端の連結部１２ａの略中間の内面に接着剤等で固着すれば良い。
【００６９】
図５（ｂ）で示した竪樋の取付具Ａは、継手本体１の上下端の連結部１２ａ、１２ｂが、連結される竪樋Ｔに外嵌される構造にした点に特徴がある。
【００７０】
このような構造の竪樋の取付具Ａによれば、竪樋Ｔを連結した後における継手本体１が表面に露出するという点では、好ましくはないが、デザイン上の理由等により、取付具Ａをあえて露出させたい場合には有効である。
【図面の簡単な説明】
【００７１】
【図１】本発明に係る竪樋の取付具Ａの一実施例を示す分解斜視図である。
【図２】図１の縦断面図である。
【図３】図１、２に示された竪樋の取付具Aに竪樋Ｔを取付けた状態を示す斜視図である。
【図４】（ａ）〜（ｃ）は、図１〜図３で示した本発明に係る竪樋の取付具Ａを用い、竪樋Ｔを壁面等の取付面Ｈに取付・施工する取付構造図である。
【図５】（ａ）、（ｂ）は、本発明に係る竪樋の取付具Ａの他の実施例を概略した要部断面図である。
【図６】従来の竪樋の取付具１００を示した使用状態図である。
【符号の説明】
【００７２】
Ａ      竪樋の取付具
Ｔ、Ｔ’竪樋
Ｔ１    端部
Ｈ      取付面
１      継手本体
１２ａ、１２ｂ  連結部
１３    止水用パッキン
２      取付部
２１    板片
２２    掛止片
３      固定部
３１    受部
３２    支持片
【図１】
2007303147.tif 000003
【図２】
2007303147.tif 000004
【図３】
2007303147.tif 000005
【図４】
2007303147.tif 000006
【図５】
2007303147.tif 000007
【図６】
2007303147.tif 000008